(57)【要約】【課題】パチンコ球が遊技盤の当たり穴に入ることに応じて払い出された賞球を収容する球皿からその賞球が排出されるごとに、その排出に応答して別のパチンコ球が新たな遊技球として遊技盤に向かって発射される遊技機において、既存の設備の大きな変更なしでも、遊技機の出球数の遠隔的管理を可能にする。【解決手段】遊技機は、球皿３６に払い出された賞球を計数する計数器７４を備えている。この遊技機は、それの外部においてパチンコ球を貯留するとともにそのパチンコ球を当該遊技機に補充する外部補充装置１０と共に使用される。この遊技機は、それから外部補充装置に向かって排出される遊技終了球と賞球とのうち賞球のみを計数する計数器８６を備えている。両計数器はパチンコホールに設置されたホールコンピュータ１４に接続されていて、ホールコンピュータは、両計数器の出力信号相互の関係に基づいて当該遊技機の出球数を遠隔的に管理する。【選択図】　図１
2004105318.tif 000002
【特許請求の範囲】
【請求項１】
遊技者がパチンコ球を用いて遊技を行うための遊技盤であってその遊技盤上において１個のパチンコ球を用いた遊技が終了してそのパチンコ球が遊技終了球として前記遊技盤から排出される出口として当たり穴とはずれ穴とを有するものと共に使用される遊技機であって、
前記遊技盤が装着されて使用される本体枠と、
遊技者の操作に応じてパチンコ球を前記本体枠に装着された遊技盤に向かって発射する発射装置と、
その発射装置により発射されたパチンコ球が前記当たり穴に入ることに応じて別のパチンコ球を賞球として払い出す払出し装置と、
その払出し装置によって払い出された賞球を収容するための球皿と、
前記払出し装置から前記球皿に払い出された賞球を払出し賞球として計数してその数を表す信号を出力する払出し賞球計数器と
を含み、かつ、
前記発射装置が、前記球皿に収容されている払出し賞球とは別のパチンコ球を新たな遊技球として前記遊技盤に向かって発射するものであり、かつ、
当該遊技機が、当該遊技機からそれの外部に排出されたパチンコ球を排出パチンコ球として計数してその数を表す信号を出力する排出パチンコ球計数器と共に使用されるものであり、かつ、
当該遊技機が、さらに、前記払出し賞球計数器の出力信号により表される払出し賞球の数と、前記排出パチンコ球計数器の出力信号により表される排出パチンコ球の数との関係を正規化する関係正規化手段を含む遊技機。
【請求項２】
前記関係正規化手段が、
前記遊技盤から排出される遊技終了球と、前記球皿から排出される賞球である排出賞球との一方を選択球として選択して計数し、その数を表す信号を出力する選択球計数器を含み、かつ、その選択球計数器が前記排出パチンコ球計数器として機能する請求項１に記載の遊技機。
【請求項３】
前記関係正規化手段が、
前記遊技盤から排出される遊技終了球と前記球皿から排出される賞球とをそれぞれ排出遊技終了球および排出賞球として互いに区別して計数し、各数を表す信号を出力する排出遊技終了球計数器および排出賞球計数器と、
それら排出遊技終了球計数器と排出賞球計数器とに接続され、それら計数器の２つの出力信号を、排出遊技終了球計数器の出力信号により表される排出遊技終了球の数と、排出賞球計数器の出力信号により表される排出賞球の数との和の半値を表す信号に変換する信号変換器と
を含み、かつ、それら排出遊技終了球計数器と排出賞球計数器と信号変換器とが互いに共同して前記排出パチンコ球計数器として機能する請求項１に記載の遊技機。
【請求項４】
前記関係正規化手段が、前記遊技盤から排出される遊技終了球と、前記球皿から排出される賞球である排出賞球とを一括して排出球として計数するとともに、その計数された排出球の数の半値を表す信号を出力する信号出力装置を含み、かつ、その信号出力装置が前記排出パチンコ球計数器として機能する請求項１に記載の遊技機。
【請求項５】
当該遊技機が、それの外部においてパチンコ球を貯留するとともにそのパチンコ球を当該遊技機に補充する外部補充装置と共に使用されるものであり、
前記排出パチンコ計数器が、その外部補充装置に、当該遊技機からその外部補充装置に回収されたパチンコ球を回収球として計数してその数を表す信号を出力する回収球計数器として設けられており、
前記関係正規化手段が、
パチンコ球が前記遊技盤と前記球皿との一方である第１要素から前記外部補充装置に向かって排出されることを可能にする排出通路であって、その排出通路を流れたパチンコ球が前記回収球計数器によって計数されるものと、
パチンコ球が前記遊技盤と前記球皿との他方である第２要素から最終的には当該遊技機に到達することを可能とするために、少なくとも前記回収球計数器をバイパスするバイパス通路と
を含む請求項１に記載の遊技機。
【請求項６】
前記バイパス通路が、前記回収球計数器をバイパスして前記第２要素と前記外部補充装置とを互いに接続するものである請求項５に記載の遊技機。
【請求項７】
さらに、前記外部補充装置から補充されたパチンコ球を貯留するとともにそのパチンコ球を前記発射装置と前記払出し装置とに分配する球貯留部を含み、
前記バイパス通路が、当該遊技機内において、前記外部補充装置をバイパスして前記第２要素と前記球貯留部とを互いに接続するものである請求項５に記載の遊技機。
【発明の詳細な説明】
【０００１】
【発明の属する技術分野】
本発明は、パチンコ機、アレンジボール遊技機等、パチンコ球を用いて遊技者が遊技を行うための遊技盤と共に使用される形式の遊技機に関するものであり、特に、パチンコ球が遊技盤の当たり穴に入ることに応じて賞球として払い出されたパチンコ球を収容する球皿に収容されているパチンコ球とは別のパチンコ球が新たな遊技球として遊技盤に向かって発射される形式の遊技機に関するものである。
【０００２】
【従来の技術】
パチンコ球を用いて遊技者が遊技を行うための遊技盤と共に使用される形式の遊技機が既に存在する。この遊技機は一般に、本体枠、発射装置、払出し装置、球皿および払出し賞球計数器を含むように構成される。以下、各要素を簡単に説明する。
【０００３】
遊技盤は、本体枠に装着されて使用される。この遊技盤上において１個のパチンコ球を用いた遊技が終了すると、そのパチンコ球は遊技終了球として遊技盤から排出される。そのため、遊技盤は、遊技終了球が排出される出口として当たり穴とはずれ穴とを有している。
【０００４】
発射装置は、遊技者の操作に応じてパチンコ球を、本体枠に装着された遊技盤に向かって発射するものである。
【０００５】
払出し装置は、その発射装置により発射されたパチンコ球が遊技盤の当たり穴に入ることに応じて別のパチンコ球を賞品として払い出すものである。
【０００６】
球皿は、その払出し装置によって払い出されたパチンコ球を収容するためのものである。遊技者は、その球皿からパチンコ球が溢れそうになると、そのパチンコ球を自分の賞品としてその球皿から取り出して別の容器に移し替えるのが普通である。
【０００７】
払出し賞球計数器は、払出し装置からその球皿に払い出されたパチンコ球を払出し賞球として計数してその数を表す信号を出力するものである。
【０００８】
さらに、この遊技機は一般に、それの外部においてパチンコ球を貯留するとともにそのパチンコ球を当該遊技機に補充する外部補充装置と、当該遊技機からその外部補充装置に回収されたパチンコ球を回収球として計数してその数を表す信号を出力する回収球計数器と共に使用される。
【０００９】
この種の遊技機として広く知られている形式は、払出し装置から球皿に払い出された賞球がその球皿からその外部に排出されることなく発射装置に送り込まれ、その送り込まれた賞球そのものが新たな遊技球（発射装置によって新たに発射されて遊技盤上において遊技を可能にするパチンコ球）として遊技盤に向かって発射される形式である。この形式は、払い出された賞球そのものが速やかに新たな遊技球に転換する意味において、直接転換式と称することができる。
【００１０】
この直接転換式の一典型例は、下部発射式または打上げ式と称されるものである。この下部発射式の遊技機においては、発射装置と球皿とが互いに近接する状態で一緒に当該遊技機の下部に配置され、払出し装置から球皿に払い出された賞球が直接に発射装置に供給されて遊技盤に向かって発射される。
【００１１】
上述の直接転換式とは異なる形式として、間接転換式が既に存在する。この間接転換式の遊技機においては、払出し装置から球皿に払い出された賞球がその球皿から排出されるとともに、その排出された賞球とは別のパチンコ球が新たな遊技球として遊技盤に向かって発射される。
【００１２】
ここに、それら直接転換式と間接転換式との違いを、球皿に収容されている賞球のその後の流れに着目して説明すれば、例えば、直接転換式の遊技機においては、球皿に収容されている賞球が直ちに発射装置に供給される。これに対し、間接転換式の遊技機においては、当該遊技機の外部に位置する外部経路（例えば、前述の外部補充装置）を経由して発射装置に供給される場合や、後に［発明の実施の形態］の欄において詳述するように、上記のような外部経路は経由しないが、当該遊技機の内部に設けられた循環経路と球貯留部（例えば、球タンク）とをそれらの順に経由して発射装置に供給される場合がある。
【００１３】
間接転換式の遊技機を、パチンコ球が球皿から排出される動作と、パチンコ球が発射装置から発射される動作との関係について具体的に説明すれば、その一例においては、パチンコ球が球皿から排出されるのに応答して、それとは別のパチンコ球が新たな遊技球として発射装置から発射される。すなわち、この例においては、パチンコ球が球皿から排出される排出タイミングと、別のパチンコ球が発射装置から発射される発射タイミングとが相互に関連付けられるとともに、球皿から排出されるパチンコ球の数と、発射装置から発射されるパチンコ球の数とが互いに一致させられるのである。
【００１４】
これに対し、別の例においては、球皿から排出されたパチンコ球の数と同数、別のパチンコ球が発射装置から発射され、発射タイミングは排出タイミングから独立して設定される。したがって、この例は、球皿から排出されるパチンコ球の数と、発射装置から発射されるパチンコ球の数とが互いに一致させられる点で、先の例と共通するが、排出タイミングと発射タイミングとの関係に自由度がある点で、先の例と相違する。
【００１５】
いずれにしても、この間接転換式の一典型例として上部発射式が既に存在する。この上部発射式の遊技機においては、発射装置が当該遊技機の上部に配置される一方、球皿が当該遊技機の下部に配置される。
【００１６】
ところで、パチンコホール等の遊技場においては、一般に、遊技機が複数台設置されるとともに、横一列に並んだ複数台の遊技機ごとに集合体が構成される。この集合体は「島」と称される。前記外部補充装置は、一般に、各島ごとに設置され、同じ島に属する複数台の遊技機からパチンコ球を回収する一方、それら複数台の遊技機にパチンコ球を分配する。
【００１７】
前述の直接転換式の遊技機においては、外部補充装置に回収されるパチンコ球は遊技終了球のみであって、パチンコ球が球皿から外部補充装置に回収されることはない。
【００１８】
したがって、この直接転換式の遊技機を使用する場合には、払出し装置から球皿に払い出された賞球がすべて発射装置によって発射球として消費される条件が成立する限り、払出し装置から球皿に払出し賞球が１個払い出されたときに当該遊技機から外部補充装置に遊技終了球が１個回収される。その結果、払出し賞球の数と遊技終了球（回収球）の数との間に、両者の比が１：１で表される関係が成立することとなる。
【００１９】
よって、払出し賞球計数器と回収球計数器との各出力信号を用いて払出し賞球の数と遊技終了球の数との差を計算すれば、遊技者が遊技機での遊技中にその遊技機の球皿から取り出して獲得したパチンコ球すなわち出球数を各遊技機ごとに遠隔的に管理できることとなる。
【００２０】
これに対し、前述の間接転換式の一典型例である上部発射式の遊技機の一従来例として、払出し装置から球皿に払い出された賞球が直接に当該遊技機の発射装置に供給されるのではなく、外部補充装置を経由して当該遊技機の発射装置に供給される遊技機が既に知られている（例えば、特許文献１参照。）。
【００２１】
【特許文献１】
特開平４−３００５７１号公報
【００２２】
【発明が解決しようとする課題】
この従来例の遊技機においては、遊技終了球が遊技盤から外部補充装置に回収されることに加えて、賞球も球皿から同じ外部補充装置に回収される。すなわち、この従来例の遊技機においては、外部補充装置に回収されるパチンコ球は遊技終了球だけではなく、払出し装置から球皿に払い出された賞球も含まれるのである。
【００２３】
そのため、この従来例の遊技機を使用する場合には、払出し装置から球皿に払い出された賞球がすべて発射装置によって発射球として消費される条件が成立する限り、払出し装置から球皿に賞球が１個払い出されたときに当該遊技機から外部補充装置に遊技終了球と賞球（球皿から排出されたパチンコ球であり、以下、払出し装置から球皿に払い出された賞球と区別するために、「排出賞球」という）とが１個ずつ回収される。その結果、球皿に払い出された払出し賞球の数と、共に外部補充装置に回収された遊技終了球と排出賞球との合計数との間に、両者の比が１：２で表される関係が成立し、この関係は、前述の直接転換式の遊技機である場合に成立する関係とは整合しない。
【００２４】
そのため、この従来例の遊技機を、そのような不整合が存在するにもかかわらず、既存の外部補充装置またはそれに関連する設備（例えば、遊技機管理コンピュータシステム）に何ら変更を加えないでそれと共に使用すると、遊技者が遊技機から獲得したパチンコ球の数すなわち出球数を正確に管理することができなくなる。
【００２５】
このような事態を回避するためには、既存の外部補充装置またはそれに関連する設備に何らかの変更を加えることを余儀なくされる。そのため、この従来例の遊技機を既存の外部補充装置またはそれに関連する設備と共に遊技場に設置して使用する場合には、その遊技場の関係者の負担が増すことを避け得ない。
【００２６】
以上説明した事情を背景として、本発明は、パチンコ球が遊技盤の当たり穴に入ることに応じて賞球として払い出されたパチンコ球を収容する球皿に収容されているパチンコ球とは別のパチンコ球が新たな遊技球として遊技盤に向かって発射される形式の遊技機において、既存の外部補充装置またはそれに関連する設備の大きな変更なしでも、遊技機の出球数の遠隔的管理を可能にすることを課題としてなされたものである。
【００２７】
【課題を解決するための手段および発明の効果】
本発明によって下記の各態様が得られる。各態様は、項に区分し、各項に番号を付し、必要に応じて他の項の番号を引用する形式で記載する。これは、本明細書に記載の技術的特徴のいくつかおよびそれらの組合せのいくつかの理解を容易にするためであり、本明細書に記載の技術的特徴やそれらの組合せが以下の態様に限定されると解釈されるべきではない。
【００２８】
（１）　遊技者がパチンコ球を用いて遊技を行うための遊技盤であってその遊技盤上において１個のパチンコ球を用いた遊技が終了してそのパチンコ球が遊技終了球として前記遊技盤から排出される出口として当たり穴とはずれ穴とを有するものと共に使用される遊技機であって、
前記遊技盤が装着されて使用される本体枠と、
遊技者の操作に応じてパチンコ球を前記本体枠に装着された遊技盤に向かって発射する発射装置と、
その発射装置により発射されたパチンコ球が前記当たり穴に入ることに応じて別のパチンコ球を賞球として払い出す払出し装置と、
その払出し装置によって払い出された賞球を収容するための球皿と、
前記払出し装置から前記球皿に払い出された賞球を払出し賞球として計数してその数を表す信号を出力する払出し賞球計数器と
を含み、かつ、
前記発射装置が、前記球皿に収容されている払出し賞球とは別のパチンコ球を新たな遊技球として前記遊技盤に向かって発射するものであり、かつ、
当該遊技機が、当該遊技機からそれの外部に排出されたパチンコ球を排出パチンコ球として計数してその数を表す信号を出力する排出パチンコ球計数器と共に使用されるものであり、かつ、
当該遊技機が、さらに、前記払出し賞球計数器の出力信号により表される払出し賞球の数と、前記排出パチンコ球計数器の出力信号により表される排出パチンコ球の数との関係を正規化する関係正規化手段を含む遊技機。
【００２９】
この遊技機によれば、関係正規化手段が設けられ、それにより、払出し賞球計数器の出力信号により表される払出し賞球の数と、排出パチンコ球計数器の出力信号により表される排出パチンコ球の数との関係が正規化される。その結果、払出し賞球計数器の出力信号により表される払出し賞球の数と、排出パチンコ球計数器の出力信号により表される排出パチンコ球の数との関係が、前述の直接転換式の遊技機において成立すべき関係と等しくなる。
【００３０】
したがって、この遊技機によれば、当該遊技機を既存の外部補充装置またはそれに関連する設備と共に使用することが必要である場合に、それら外部補充装置または関連設備に何ら変更を加えずに済むか、もしくは、変更を加えるにしてもその変更が僅かなもので足りることとなる。
【００３１】
その結果、この遊技機によれば、例えば直接転換式の遊技機との互換性を向上させることが容易となる。
【００３２】
本項における「関係正規化手段」は、例えば、当該遊技機に関連するパチンコ球の数を表す信号、当該遊技機に関連するパチンコ球の経路等を適正化することによって自身の機能を実現するものとすることが可能である。
【００３３】
また、本項における「関係正規化手段」は、当該遊技機に設置したり、外部補充装置に設置したり、それら遊技機および外部補充装置の双方に設置したり、それらを除く他の要素に設置することが可能である。すなわち、「関係正規化手段」の設置場所は任意に決定できるのである。
【００３４】
また、本項における「発射装置」は、例えば、球皿に隣接して設置されるのではなく、例えば、当該遊技機の高さ方向に球皿から離れて設置される。
【００３５】
また、本項における「排出パチンコ球計数器」は、例えば、外部補充装置に設置したり、当該遊技機に設置することが可能である。すなわち、「排出パチンコ球計数器」の設置場所は任意に決定できるのである。また、本項における「排出パチンコ計数器」は、外部補充装置に、当該遊技機からその外部補充装置に回収されたパチンコ球を回収球として計数してその数を表す信号を出力する回収球計数器として設けることが可能である。
【００３６】
なお付言すれば、本項および下記の各項において「計数器」は、例えば、パチンコ球を１個検出するごとに特定の信号を出力する形式としたり、パチンコ球を設定複数個検出するごとに特定の信号を出力する形式とすることが可能である。
【００３７】
（２）　前記関係正規化手段が、
前記遊技盤から排出される遊技終了球と、前記球皿から排出される賞球である排出賞球との一方を選択球として選択して計数し、その数を表す信号を出力する選択球計数器を含み、かつ、その選択球計数器が前記排出パチンコ球計数器として機能する（１）項に記載の遊技機。
【００３８】
前記（１）項に係る遊技機においては、例えば、発射装置により、球皿に収容されている払出し賞球とは別のパチンコ球が、球皿から排出された排出賞球と同数、新たな遊技球として遊技盤に向かって発射される。
【００３９】
一方、その発射されたパチンコ球はすべてやがて遊技終了球に転換されることから、その発射されたパチンコ球の数と遊技終了球の数とは互いに等しい。
【００４０】
したがって、この遊技機においては、遊技盤から排出される遊技終了球の数と、球皿から排出される賞球である排出賞球の数とが互いに等しくなる。
【００４１】
一方、この遊技機にとってのパチンコ球の真の排出数は、遊技終了球の排出数と賞球の排出数との和である。この真の排出数は、遊技終了球の排出数が同じであるという条件下において前述の直接転換式の遊技機について取得されるべき真の排出数と比較すると、後者の２倍となる。
【００４２】
そのため、本項に係る遊技機についての真の排出数と、当該遊技機の払出し賞球計数器の出力信号により表される払出し賞球の数との関係から当該遊技機の出球数を、例えば直接転換式の遊技機と同じルールに従って管理したのでは、当該遊技機の出球数を正確に管理することができない。
【００４３】
そこで、本項に係る遊技機においては、遊技盤から排出される遊技終了球と、球皿から排出される賞球との一方を選択球として選択して計数し、その数を表す信号を出力する選択球計数器が設けられ、かつ、その選択球計数器が前記排出パチンコ球計数器として機能させられる。
【００４４】
したがって、この遊技機によれば、当該遊技機にとってのパチンコ球の排出数がみかけ上、遊技終了球のみが遊技盤から排出される場合の排出数と等しくなる。
【００４５】
よって、この遊技機によれば、それと共に使用される既存の外部補充装置またはそれに関連する設備に大きな変更を加えなくても、当該遊技機の出玉数を正確に管理することが容易となる。
【００４６】
なお付言するに、本項において「選択球計数器」が「排出パチンコ球計数器として機能する」とは、例えば、外部補充装置がもともと前述の回収球計数器を備えている場合には、選択球計数器が回収球計数器とは別の計数器として存在するとともに、その回収球計数器を機能に関して代替することを意味する。また、外部補充装置がもともと回収球計数器を備えていない場合には、選択球計数器が回収球計数器そのものを構成することを意味する。このような解釈は、下記の各項において、「排出パチンコ球計数器として機能する」という文言にも妥当する。
【００４７】
（３）　前記関係正規化手段が、さらに、
前記遊技盤および球皿からそれらの外部に向かう互いに独立した２つの排出通路であって、第１の排出通路は、前記遊技終了球が前記遊技盤からそれの外部に向かって流れることを可能にする一方、第２の排出通路は、前記排出賞球が前記球皿からそれの外部に向かって流れることを可能にするものを含み、かつ、
前記選択球計数器が、それら２つの排出通路のうち、前記選択球が流れることを予定された排出通路を流れた選択球を計数するものである（２）項に記載の遊技機。
【００４８】
この遊技機においては、遊技盤および球皿からそれの外部に向かうパチンコ球の流れが、互いに独立した２つの排出通路により、遊技終了球の流れと排出賞球の流れとに分別される。さらに、前記（２）項における「選択球計数器」が、それら２つの排出通路のうち、選択球が流れることを予定された排出通路を流れた選択球を計数するものとされる。
【００４９】
したがって、この遊技機によれば、選択球の計数を、選択球に該当しないパチンコ球の予定外の計数を確実に排除しつつ行うことが容易となり、その結果、選択球を計数する精度を向上させることが容易となる。
【００５０】
（４）　前記関係正規化手段が、
前記遊技盤から排出される遊技終了球と、前記球皿から排出される賞球とをそれぞれ排出遊技終了球および排出賞球として互いに区別して計数し、各数を表す信号を出力する排出遊技終了球計数器および排出賞球計数器と、
それら排出遊技終了球計数器と排出賞球計数器とに接続され、それら計数器の２つの出力信号を、排出遊技終了球計数器の出力信号により表される排出遊技終了球の数と、排出賞球計数器の出力信号により表される排出賞球の数との和の半値を表す信号に変換する信号変換器と
を含み、かつ、それら排出遊技終了球計数器と排出賞球計数器と信号変換器とが互いに共同して前記排出パチンコ球計数器として機能する（１）項に記載の遊技機。
【００５１】
この遊技機においては、前記（２）項に係る遊技機と同様に、遊技盤と球皿とからそれぞれ排出される遊技終了球の数と排出賞球の数とが互いに等しいという事実に着目することにより、遊技盤と球皿とからそれぞれ排出される遊技終了球と排出賞球とがそれぞれ排出遊技終了球と排出賞球として互いに区別されて計数されるとともに、それら２つの計数値の半値が、当該遊技機にとってのパチンコ球のみかけの排出数とされる。
【００５２】
（５）　前記関係正規化手段が、さらに
前記遊技盤および球皿からそれらの外部に向かう互いに独立した２つの排出通路であって、第１の排出通路は、前記遊技終了球が前記遊技盤からそれの外部に向かって流れることを可能にする一方、第２の排出通路は、前記排出賞球が前記球皿からそれの外部に向かって流れることを可能にするものを含み、
前記排出遊技終了球計数器が、前記第１の排出通路を流れた排出遊技終了球を計数するものであり、
前記排出賞球計数器が、前記第２の排出通路を流れた排出賞球を計数するものである（４）項に記載の遊技機。
【００５３】
この遊技機においては、前記（３）項に係る遊技機と同様に、遊技盤および球皿からそれらの外部に向かうパチンコ球の流れが、互いに独立した２つの排出通路により、遊技終了球の流れと排出賞球の流れとに分別される。さらに、前記（４）項における「排出遊技終了球計数器」は、第１の排出通路を流れた排出遊技終了球を計数するように、「排出賞球計数器」は、第２の排出通路を流れた排出賞球を計数するようにそれぞれ設けられる。
【００５４】
したがって、この遊技機によれば、排出遊技終了球と排出賞球とのそれぞれの計数を、他のパチンコ球の予定外の計数を確実に排除しつつ行うことが容易となり、その結果、排出遊技終了球と排出賞球とをそれぞれ計数する精度を向上させることが容易となる。
【００５５】
（６）　前記関係正規化手段が、前記遊技盤から排出される遊技終了球と、前記球皿から排出される賞球である排出賞球とを一括して排出球として計数するとともに、その計数された排出球の数の半値を表す信号を出力する信号出力装置を含み、かつ、その信号出力装置が前記排出パチンコ球計数器として機能する（１）項に記載の遊技機。
【００５６】
この遊技機においては、遊技盤と球皿とからそれぞれ排出される遊技終了球と排出賞球との合計数が、遊技終了球のみが遊技盤から排出される場合の遊技終了球の数の２倍である。
【００５７】
そこで、この遊技機においては、遊技盤と球皿とからそれぞれ排出される遊技終了球と排出賞球とが一括して排出球として計数されるとともに、その計数された排出球の数の半値が、当該遊技機にとってのパチンコ球のみかけの排出数とされる。
【００５８】
（７）　前記信号出力装置が、
前記排出球を計数してその数を表す信号を出力する排出球計数器と、
その排出球計数器に接続され、その排出球計数器の出力信号を、その出力信号により表される排出球の数の半値を表す信号に変換する信号変換器と
を含む（６）項に記載の遊技機。
【００５９】
この遊技機によれば、前記（６）項における「信号出力装置」の具体的な一実施態様が提供される。
【００６０】
（８）　前記関係正規化手段が、さらに、
前記遊技終了球と前記排出賞球とに共通に設けられ、それら遊技終了球と排出賞球とが前記遊技盤と前記球皿とからそれぞれそれらの外部に向かって混合して排出されることを可能にする混流排出通路を含み、かつ、
前記排出球計数器が、その混流排出通路を流れた排出球を計数するものである（７）項に記載の遊技機。
【００６１】
この遊技機によれば、前記（７）項における「関係正規化手段」の具体的な一実施態様が提供される。
【００６２】
（９）　当該遊技機が、それの外部においてパチンコ球を貯留するとともにそのパチンコ球を当該遊技機に補充する外部補充装置と共に使用されるものであり、その外部補充装置が、前記遊技終了球と前記排出賞球とに共通に設けられ、それら遊技終了球と排出賞球とが前記遊技盤と前記球皿とからそれぞれ前記外部補充装置に向かって混合して回収されることを可能にする混流回収通路を含み、
前記信号出力装置が、その混流回収通路に関連付けて前記外部補充装置に設けられている（６）項に記載の遊技機。
【００６３】
この遊技機によれば、外部補充装置に設けられた混流回収通路と信号出力装置とを利用することにより、当該遊技機の出球数を正確に管理することが容易となる。
【００６４】
（１０）　前記排出パチンコ球計数器が、前記外部補充装置に、前記混流回収通路を流れた遊技終了球と排出賞球とを一括して回収球として計数する回収球計数器として設けられており、
前記信号出力装置が、その回収球計数器に接続され、その回収球計数器の出力信号を、その出力信号により表される回収球の数の半値を表す信号に変換する信号変換器を含む（９）項に記載の遊技機。
【００６５】
この遊技機においては、当該遊技機から外部補充装置に回収された遊技終了球と排出賞球との合計数を計数するように外部補充装置に設けられた回収球計数器を利用するとともに、その回収球計数器の出力信号により表される回収球の数の半値が、当該遊技機から外部補充装置に回収される遊技終了球の数に等しいという事実に着目することにより、その回収球計数器の出力信号が、その出力信号により表される回収球の数の半値を表す信号に変換される。
【００６６】
したがって、この遊技機によれば、既存の外部補充装置における回収数計数器を関係正規化手段の一構成要素として有効に利用することにより、当該遊技機の出球数を正確に管理することが容易となる。
【００６７】
（１１）　当該遊技機が、それの外部においてパチンコ球を貯留するとともにそのパチンコ球を当該遊技機に補充する外部補充装置と共に使用されるものであり、
前記排出パチンコ計数器が、その外部補充装置に、当該遊技機からその外部補充装置に回収されたパチンコ球を回収球として計数してその数を表す信号を出力する回収球計数器として設けられており、
前記関係正規化手段が、
パチンコ球が前記遊技盤と前記球皿との一方である第１要素から前記外部補充装置に向かって排出されることを可能にする排出通路であって、その排出通路を流れたパチンコ球が前記回収球計数器によって計数されるものと、
パチンコ球が前記遊技盤と前記球皿との他方である第２要素から最終的には当該遊技機に到達することを可能とするために、少なくとも前記回収球計数器をバイパスするバイパス通路と
を含む（１）項に記載の遊技機。
【００６８】
この遊技機においては、それの遊技盤と球皿との一方から外部補充装置に回収されたパチンコ球はその外部補充装置のうちの回収球計数器によって計数されるが、それら遊技盤と球皿との他方から流出したパチンコ球は、外部補充装置に一時的に回収されるか否かを問わず、それの回収球計数器によって計数されない。
【００６９】
したがって、この遊技機によれば、既存の外部補充装置またはそれに関連する設備の電気系統に変更を加えることなく、当該遊技機の出球数を正確に管理することが容易となる。
【００７０】
（１２）　前記バイパス通路が、前記回収球計数器をバイパスして前記第２要素と前記外部補充装置とを互いに接続するものである（１１）項に記載の遊技機。
【００７１】
この遊技機においては、それの遊技盤と球皿との双方からパチンコ球が外部補充装置に回収される状態において、それら遊技盤と球皿との一方である第１要素から回収されたパチンコ球は回収球計数器によって計数されるが、それら遊技盤と球皿との他方である第２要素から回収されるべきパチンコ球は、その回収球計数器をバイパスするバイパス通路の存在により、その回収球計数器によって計数されない。
【００７２】
（１３）　さらに、前記外部補充装置から補充されたパチンコ球を貯留するとともにそのパチンコ球を前記発射装置と前記払出し装置とに分配する球貯留部を含み、
前記バイパス通路が、当該遊技機内において、前記外部補充装置をバイパスして前記第２要素と前記球貯留部とを互いに接続するものである（１１）項に記載の遊技機。
【００７３】
この遊技機においては、それの遊技盤と球皿との一方である第１要素から排出されたパチンコ球が外部補充装置に回収されるとともに回収球計数器によって計数されるが、それら遊技盤と球皿との他方である第２要素から排出されたパチンコ球は、バイパス通路の存在により、その第２要素から一旦排出された後に、回収球計数器を含む外部補充装置を経由せずに当該遊技機の球貯留部に補充され、そこから発射装置と払出し装置とに分配される。
【００７４】
【発明の実施の形態】
以下、本発明のさらに具体的な実施の形態のいくつかを図面に基づいて詳細に説明する。
【００７５】
図１には、本発明の第１実施形態に従うパチンコ機が正面図で示されている。このパチンコ機は前記（１）項における「遊技機」の一例である。このパチンコ機の形式は、前述の間接転換式の一例である上部発射式に分類される。このパチンコ機は、他のパチンコ機と共にパチンコホールに設置されて使用される。
【００７６】
パチンコホールにおいては、横一列に並んだ複数台のパチンコ機の集合体ごとにいわゆる１つの島が構成され、各島ごとに外部補充装置１０がパチンコホールに設置されている。外部補充装置１０は、それと同じ島に属する複数台のパチンコ機から送り出されたパチンコ球を回収するとともに、その回収されたパチンコ球をそれら複数台のパチンコ機に自動的に補給する。
【００７７】
パチンコホールには、さらに、ホールコンピュータ１４も設置されている。このホールコンピュータ１４は、そのパチンコホールに設置されているすべてのパチンコ機の作動状態を含む種々の状態を遠隔的に管理するものである。
【００７８】
本実施形態に従うパチンコ機は、図１に示すように、本体枠２０とガラス扉２２と前皿扉２４とを備えている。ガラス扉２２と前皿扉２４とは、それらの順に上下に並んでそれぞれ本体枠２０に開閉可能に取り付けられている。ガラス扉２２は、長方形の板状ガラス３０がガラス枠３２にはめ込まれて構成されている。前皿扉２４は、図１に示すように、複数のパチンコ球を収容可能な球皿３６を備えている。
【００７９】
図１に示すように、本体枠２０には遊技盤４０が着脱可能に装着される。この遊技盤４０上において１個のパチンコ球を用いた遊技が終了すると、そのパチンコ球は遊技終了球として遊技盤４０から排出される。そのため、遊技盤４０は、遊技終了球が排出される出口として当たり穴４２とはずれ穴４４とを有している。
【００８０】
このパチンコ機は、さらに、図１に示すように、パチンコ球を貯留する球貯留部５０を本体枠２０の上部の背後または背面に備えている。この球貯留部５０にはパチンコ球が外部補充装置１０から補充される。
【００８１】
このパチンコ機は、さらに、図１に示すように、発射装置６０を本体枠２０の上部に備えている。この発射装置６０は、球貯留部５０から、図示しない球送り機構によって１個ずつ装填されるパチンコ球を発射する。すなわち、このパチンコ機は上部発射式なのである。
【００８２】
発射装置６０は、アクチュエータによって駆動されるハンマがパチンコ球を打撃することにより、パチンコ球を遊技球として発射する。この発射装置６０は、パチンコ球を発射する強度を遊技者による操作ハンドル６２の操作加減に応じて変化させる。
【００８３】
このパチンコ機は、さらに、図１に示すように、払出し装置６６を本体枠２０の背後または背面に備えている。この払出し装置６６は、発射装置６０により発射されたパチンコ球が当たり穴４２に入ることに応じて別のパチンコ球を賞球として払い出す。
【００８４】
その払い出された賞球は、払出し通路７０および開口部７２をそれらの順に経て球皿３６に供給される。払出し装置６６の下部には払出し賞球計数器７４が装着されている。この払出し賞球計数器７４は、払出し装置６６から球皿３６に払い出された賞球を払出し賞球として計数してその数を表す信号を出力する。
【００８５】
図２に示すように、このパチンコ機から外部補充装置１０へのパチンコ球の回収は、当たり穴４２またははずれ穴４４を経た経路と、球皿３６を経た経路との双方によって行われる。そのため、このパチンコ機においては、当たり穴４２またははずれ穴４４を経て遊技盤４０から排出された遊技終了球が、第１の排出通路８０を経て外部補充装置１０に向かって排出される。さらに、球皿３６に払い出された賞球は、第２の排出通路８２を経て外部補充装置１０に向かって排出される。
【００８６】
このパチンコ機においては、それら２つの排出通路８０，８２のうちの第２の排出通路８２のみにパチンコ球の計数器８６が装着されている。この計数器８６は、球皿３６から外部補充装置１０に向かって排出された賞球を排出賞球として計数してその数を表す信号を出力する排出賞球計数器８６と称される。
【００８７】
このパチンコ機は、賞球が球皿３６から外部補充装置１０に向かって１個ずつ排出されるごとに、発射装置６０が、その排出に応答して別のパチンコ球を新たな遊技球として１個ずつ遊技盤４０に向かって発射するように設計されている。このパチンコ機においては、図示しない制御基板が本体枠２０に取り付けられており、その制御基板が、排出賞球計数器８６の出力信号に基づいて発射装置６０の発射タイミングを電気的に制御する。
【００８８】
図２に示すように、外部補充装置１０は、遊技終了球と排出賞球とが混合して流れる混流回収通路９０を備えており、それの上流端に第１および第２の排出通路８０，８２の各下流端が接続されている。外部補充装置１０は、さらに、それに関連する複数台のパチンコ機から回収したパチンコ球を貯留するとともにそれら複数台のパチンコ機にパチンコ球を分配する貯留・分配部９２を備えている。その貯留・分配部９２に混流回収通路９０の下流端が接続されている。
【００８９】
そして、図２に示すように、第２の排出通路８２には前記排出賞球計数器８６、混流回収通路９０には回収球計数器９６がそれぞれ装着されている。後者の回収球計数器９６は、外部補充装置１０に回収された遊技終了球および排出賞球を回収球として計数してその数を表す信号を出力する。
【００９０】
図３には、このパチンコ機の電気系統のうち本発明に特に関連する部分と周辺の電気系統とが互いに電気的に接続される様子が概念的に示されている。このパチンコ機の払出し賞球計数器７４と排出賞球計数器８６とがホールコンピュータ１４に接続されている。
【００９１】
前述のように、外部補充装置１０は、回収球計数器９６を備えているが、この回収球計数器９６とホールコンピュータ１４とは電気的に遮断されるか、ないしは、電気的に接続されてはいるがホールコンピュータ１４が回収球計数器９６の出力信号を無視するように設計されている。その代わりに、ホールコンピュータ１４は、排出賞球計数器８６の出力信号を、外部補充装置１０へのパチンコ球のみかけの回収数を表す信号として受信するように設計されている。
【００９２】
そして、ホールコンピュータ１４は、払出し賞球計数器７４により計数された払出し賞球の数と、排出賞球計数器８６により計数された排出賞球（選択球）の数との関係に基づき、かつ、球皿３６に収容されている賞球が直ちに発射装置６０に供給される前述の直接転換式のパチンコ機に適合するルールと同じルールに従い、遊技者がこのパチンコ機から獲得した賞球の数である出球数を遠隔的に管理する。
【００９３】
以上の説明から明らかなように、本実施形態においては、２つの排出通路８０，８２と排出賞球計数器８６とが互いに共同して前記（１）項における「関係正規化手段」の一例を構成し、また、排出賞球計数器８６が同項における「排出パチンコ球計数器」の一例を構成し、また、排出賞球計数器８６が前記（３）項における「選択球計数器」の一例を構成しているのである。
【００９４】
なお付言すれば、本実施形態においては、排出賞球計数器８６という１つの計数器が、発射装置６０の発射タイミングの制御と、ホールコンピュータ１４による出球数の遠隔的管理との双方に利用されるようになっている。したがって、本実施形態によれば、それら２つの用途に別々に計数器を設ける場合に比較して、１つのパチンコ機に搭載される計数器の数を節減することが容易となる。
【００９５】
さらに付言すれば、本実施形態においては、第２の排出通路８２にパチンコ球の計数器８６が設けられているが、それに代えて、第１の排出通路８０にパチンコ球の計数器を設けるようにして本発明を実施することが可能である。
【００９６】
さらに付言すれば、本実施形態においては、払出し装置６６から払い出された賞球を収容する賞球収容部が前皿扉２４に１個のみ、球皿３６として設けられているが、例えば、その賞球収容部が前皿扉２４に２個、上下に並んだ上皿および下皿として設けられた形式のパチンコ機に本発明を適用することも可能である。
【００９７】
この形式のパチンコ機においては、それら上皿と下皿とが互いに共同して前記（１）項における「球皿」の一例を構成すると考えることが可能である。また、この形式のパチンコ機においては、一般に、払出し装置６６から払い出されたパチンコ球で上皿が溢れた後でないと、その払い出されたパチンコ球が下皿に流入しない。このようなパチンコ球の流れに注目すれば、この形式のパチンコ機においては、上皿のみが前記（１）項における「球皿」の一例を構成する態様で本発明を実施することも可能である。
【００９８】
次に、本発明の第２実施形態を説明する。ただし、本実施形態は、外部補充装置１０へのパチンコ球の回収数を計数するための電気的要素が第１実施形態と異なるのみで他の要素については共通するため、異なる要素についてのみ詳細に説明し、共通する要素については、同一の符号または同一の名称を使用して第１実施形態の説明を引用することにより、詳細な説明を省略する。
【００９９】
図４および図５に示すように、本実施形態においては、第１実施形態と同様に、第２の排出通路８２に排出賞球計数器８６が装着されている。さらに、本実施形態においては、第１実施形態とは異なり、第１の排出通路８０にもパチンコ球の計数器１１０が装着されている。この計数器１１０は、第１の排出通路８０を流れた遊技終了球を計数することから、本実施形態においては、排出遊技終了球計数器１１０と称される。
【０１００】
図６に示すように、本実施形態においては、第１実施形態と同様に、払出し賞球計数器７４がホールコンピュータ１４に電気的に接続されている。さらに、本実施形態においては、第１実施形態とは異なり、排出遊技終了球計数器１１０と排出賞球計数器８６とがそれらに共通の信号変換器１１４を介してホールコンピュータ１４に電気的に接続されている。
【０１０１】
その信号変換器１１４は、排出遊技終了球計数器１１０と排出賞球計数器８６との両出力信号を、排出遊技終了球計数器１１０の出力信号により表される排出遊技終了球の数と、排出賞球計数器８６の出力信号により表される排出賞球の数との和の半値を表す信号に変換し、その変換された信号をホールコンピュータ１４に出力する。
【０１０２】
そして、ホールコンピュータ１４は、外部補充装置１０のうちの回収球計数器９６の出力信号に代えて、その信号変換器１１４の出力信号を参照することにより、パチンコ機の出球数を遠隔的に管理する。
【０１０３】
以上の説明から明らかなように、本実施形態においては、２つの排出通路８０，８２と排出賞球計数器８６と排出遊技終了球計数器１１０と信号変換器１１４とが互いに共同して前記（１）項における「関係正規化手段」の一例を構成しているのである。
【０１０４】
次に、本発明の第３実施形態を説明する。ただし、本実施形態は、外部補充装置１０にパチンコ球を回収するための機械的要素とその回収数を計数するための電気的要素とが第１実施形態と異なるのみで他の要素については共通するため、異なる要素についてのみ詳細に説明し、共通する要素については、同一の符号または同一の名称を使用して第１実施形態の説明を引用することにより、詳細な説明を省略する。
【０１０５】
第１実施形態においては、図２に示すように、当たり穴４２またははずれ穴４４から排出された遊技終了球と、球皿３６から排出された賞球とが外部補充装置１０の混流回収通路９０において合流するようになっている。
【０１０６】
これに対し、本実施形態においては、図７に示すように、当たり穴４２およびはずれ穴４４から延びる第１の排出通路８０と、球皿３６から延びる第２の排出通路８２とがそれらの下流端において、遊技終了球と賞球とが混合して流れる混流排出通路１２０の上流端に接続されている。これにより、遊技終了球と賞球とが互いに区別されずにそれぞれ排出球として流れる部分がこのパチンコ機内に形成されている。
【０１０７】
さらに、本実施形態においては、混流排出通路１２０に関連付けて信号出力装置１２２が設けられている。この信号出力装置１２２は、図８に示すように、混流排出通路１２０を流れた排出球を計数してその数を表す信号を出力する排出球計数器１２３を備えている。
【０１０８】
その信号出力装置１２２は、図８に示すように、さらに、信号変換器１２４を備えている。この信号変換器１２４は、排出球計数器１２３に接続されていて、その排出球計数器１２３の出力信号を、その出力信号により表される排出球の数の半値を表す信号に変換する。
【０１０９】
本実施形態においては、図８に示すように、ホールコンピュータ１４が、外部補充装置１０の回収球計数器９６との接続が実質的に遮断された状態で、払出し賞球計数器７４と信号変換器１２４とに電気的に接続されている。そして、ホールコンピュータ１４は、払出し賞球計数器７４の出力信号と信号変換器１２４の出力信号との関係に基づき、このパチンコ機の出球数を遠隔的に管理することとなる。
【０１１０】
以上の説明から明らかなように、本実施形態においては、２つの排出通路８０，８２と混流排出通路１２０と信号出力装置１２２とが互いに共同して前記（１）項における「関係正規化手段」の一例を構成しているのである。
【０１１１】
次に、本発明の第４実施形態を説明する。ただし、本実施形態は、外部補充装置１０にパチンコ球を回収するための機械的要素とその回収数を計数するための電気的要素とが第１実施形態と異なるのみで他の要素については共通するため、異なる要素についてのみ詳細に説明し、共通する要素については、同一の符号または同一の名称を使用して第１実施形態の説明を引用することにより、詳細な説明を省略する。
【０１１２】
図９には、本実施形態に従うパチンコ機が背面図で示されている。このパチンコ機においては、はずれ穴４４または図示しない当たり穴４２を経て遊技盤４０から排出された遊技終了球は、図９および図１０に示すように、はずれ穴４４および当たり穴４２から延びる排出通路１２８と、外部補充装置１０の一構成要素である回収通路１３０とをそれらの順に経て貯留・分配部９２に供給される。回収通路１３０には回収球計数器９６が装着されている。
【０１１３】
これに対し、球皿３６に収容されている賞球は、図９および図１０に示すように、回収球計数器９６をバイパスしたバイパス通路１３４を経て貯留・分配部９２に供給される。
【０１１４】
したがって、本実施形態においては、遊技終了球のみならず賞球も外部補充装置１０に回収されるにもかかわらず、遊技終了球のみが回収球計数器９６に計数される。そのため、本実施形態においては、図１１に示すように、払出し賞球計数器７４と回収球計数器９６とがホールコンピュータ１４に接続されており、ホールコンピュータ１４は、それら計数器７４，９６の出力信号相互の関係に基づいてパチンコ機の出球数を遠隔的に管理する。
【０１１５】
なお付言すれば、本実施形態においては、排出賞球計数器８６が、発射装置６０の発射タイミングの制御という用途のために設けられているが、この用途をその排出賞球計数器８６以外の要素によって実現可能である場合には、その排出賞球計数器８６を省略することが可能である。
【０１１６】
以上の説明から明らかなように、本実施形態においては、排出通路１２８とバイパス通路１３４とが互いに共同して前記（１）項における「関係正規化手段」の一例を構成し、また、バイパス通路１３４が前記（１１）または（１２）項における「バイパス通路」の一例を構成しているのである。
【０１１７】
次に、本発明の第５実施形態を説明する。ただし、本実施形態は、外部補充装置１０にパチンコ球を回収するための機械的要素とその回収数を計数するための電気的要素とが第１実施形態と異なるのみで他の要素については共通するため、異なる要素についてのみ詳細に説明し、共通する要素については、同一の符号または同一の名称を使用して第１実施形態の説明を引用することにより、詳細な説明を省略する。
【０１１８】
第１実施形態においては、遊技盤４０から排出された遊技終了球のみならず、球皿３６に払い出された賞球も外部補充装置１０に回収される。これに対し、本実施形態においては、遊技終了球のみが回収され、賞球は、外部補充装置１０を経由することなく直接にパチンコ機の球貯留部５０に補充される。
【０１１９】
すなわち、本実施形態においては、当該パチンコ機内において閉じた経路であって、球貯留部５０、払出し装置６６および球皿３６をそれらの順に経た閉じた経路に沿ってパチンコ球が循環させられ、それにより、払出し装置６６から球皿３６に払い出された賞球は外部補充装置１０を経由せずに球貯留部５０に補充されるようになっているのである。
【０１２０】
図１２には、本実施形態に従うパチンコ機の構成がそのパチンコ機におけるパチンコ球の流れに関与する要素に特に注目することによって示されている。
【０１２１】
本実施形態においては、球皿３６と球貯留部５０とが循環通路１５０によって互いに接続されている。この循環通路１５０は、球皿３６から球貯留部５０に向かって概して垂直に延びる部分を備えている。この循環通路１５０は、複数のパチンコ球が一列に並んで配列するのに必要かつ十分な内部空間を有している。
【０１２２】
この循環通路１５０には、揚送機構とでも称すべき球送り機構１５４が設けられている。この球送り機構１５４は、循環通路１５０内のパチンコ球を球皿３６から球貯留部５０に向かって設定速度で送る機構である。
【０１２３】
本実施形態においては、その球送り機構１５４が、循環通路１５０と平行な平面に対して直角な回転軸まわりに設定速度で回転する送り車１５８と、それを駆動する、図示しないアクチュエータとを有している。その送り車１５８においては、自ら回転しながらパチンコ球の外周面に部分的に係合してそのパチンコ球に推進力を与える係合部が複数、上記回転軸と同軸の一円周に沿って並んで形成されている。
【０１２４】
図１３に示すように、本実施形態においては、前述のように、当たり穴４２またははずれ穴４４を経て遊技盤４０から排出された遊技終了球のみが排出通路１２８を経て外部補充装置１０に回収される。その回収された遊技終了球は回収球計数器９６によって計数される。
【０１２５】
本実施形態に従うパチンコ機は、球皿３６から循環通路１５０に送り出された賞球を排出賞球として計数する排出賞球計数器８６を備えている。
【０１２６】
そして、このパチンコ機と外部補充装置１０とホールコンピュータ１４との間には、図１１に示す第４実施形態と同様に、払出し賞球計数器７４と回収球計数器９６とがホールコンピュータ１４に電気的に接続されるという関係が成立している。
【０１２７】
以上の説明から明らかなように、本実施形態においては、循環通路１５０が前記（１）項における「関係正規化手段」の一例および前記（１１）または（１３）項における「バイパス通路」の一例を構成しているのである。
【０１２８】
次に、本発明の第６実施形態を説明する。ただし、本実施形態は、パチンコ機内においてパチンコ球を循環させる経路が第５実施形態と異なるのみで他の要素については共通するため、異なる要素についてのみ詳細に説明し、共通する要素については、同一の符号または同一の名称を使用して第５実施形態の説明を引用することにより、詳細な説明を省略する。
【０１２９】
第５実施形態においては、球皿３６に払い出された賞球が球貯留部５０に補充されることにより、球貯留部５０、払出し装置６６および球皿３６をそれらの順に経た閉じた経路に沿ってパチンコ球が循環させられる。これに対し、本実施形態においては、球貯留部５０、発射装置６０および遊技盤４０の出口（当たり穴４２またははずれ穴４４）をそれらの順に経た閉じた経路に沿ってパチンコ球が循環させられる。
【０１３０】
図１４には、本実施形態に従うパチンコ機の構成がそのパチンコ機におけるパチンコ球の流れに関与する要素に特に注目することによって示されている。
【０１３１】
本実施形態においては、遊技盤４０からのパチンコ球の排出通路１７０と球貯留部５０とが循環通路１７２によって互いに接続されている。排出通路１７０は、遊技盤４０からのパチンコ球の出口である当たり穴４２（図示省略）とはずれ穴４４とから延びている。一方、循環通路１７２は、排出通路１７０から球貯留部５０に向かって概して垂直に延びる部分を備えている。
【０１３２】
この循環通路１７２は、第５実施形態における循環通路１５０と同様に構成されており、さらに、同様に、送り車１５８を有する球送り機構１５４とアクチュエータとを備えている。
【０１３３】
図１４および図１５に示すように、本実施形態においては、球皿３６から排出された賞球のみが排出通路１７４を経て外部補充装置１０に回収される。その回収された賞球は回収球計数器９６によって計数される。
【０１３４】
本実施形態に従うパチンコ機は、第５実施形態と同様に、球皿３６から外部補充装置１０に送り出された賞球を排出賞球として計数する排出賞球計数器８６を備えている。
【０１３５】
そして、このパチンコ機と外部補充装置１０とホールコンピュータ１４との間には、第５実施形態と同様に、払出し賞球計数器７４と回収球計数器９６とがホールコンピュータ１４に電気的に接続されるという関係が成立している。
【０１３６】
以上の説明から明らかなように、本実施形態においては、循環通路１７２が前記（１）項における「関係正規化手段」の一例および前記（１１）または（１３）項における「バイパス通路」の一例を構成しているのである。
【０１３７】
次に、本発明の第７実施形態を説明する。ただし、本実施形態は、外部補充装置１０へのパチンコ球の回収数を計数するための電気的要素が第１実施形態と異なるのみで他の要素については共通するため、異なる要素についてのみ詳細に説明し、共通する要素については、同一の符号または同一の名称を使用して第１実施形態の説明を引用することにより、詳細な説明を省略する。
【０１３８】
第１実施形態に従うパチンコ機においては、図３に示すように、払出し賞球計数器７４と排出賞球計数器８６とがホールコンピュータ１４に接続され、そのホールコンピュータ１４は、そのパチンコ機の出球数を管理するために、外部補充装置１０の回収球計数器９６の出力信号を考慮しない。
【０１３９】
これに対し、本実施形態に従うパチンコ機は、図１６に示すように、払出し賞球計数器７４および排出賞球計数器８６に加えて、信号変換器１９０を備えている。この信号変換器１９０は、外部補充装置１０の回収球計数器９６とホールコンピュータ１４とに電気的に接続されている。この信号変換器１９０は、外部補充装置１０の回収球計数器９６の出力信号を、その出力信号により表される回収球の数の半値を表す出力信号に変換し、その変換された出力信号をホールコンピュータ１４に出力する。
【０１４０】
なお付言すれば、この信号変換器１９０は、当該パチンコ機の一構成要素であるが、そのパチンコ機自体に装着されて使用されることは本発明を実施するために不可欠なことではなく、そのパチンコ機から独立した要素に装着して使用することが可能である。
【０１４１】
以上の説明から明らかなように、本実施形態においては、回収球計数器９６を信号変換器１９０を介してホールコンピュータ１４に電気的に接続することが前記（１）項における「関係正規化手段」の一例を構成し、また、その信号変換器１９０が前記（６）項における「信号出力装置」の一例を構成しているのである。
【０１４２】
次に、本発明の第８実施形態を説明する。ただし、本実施形態は、外部補充装置１０へのパチンコ球の回収数を計数するための電気的要素が第７実施形態と異なるのみで他の要素については共通するため、異なる要素についてのみ詳細に説明し、共通する要素については、同一の符号または同一の名称を使用して第７実施形態の説明を引用することにより、詳細な説明を省略する。
【０１４３】
第７実施形態に従うパチンコ機においては、そのパチンコ機に回収球計数器９６の出力信号を適合させるために信号変換器１９０が使用される。
【０１４４】
これに対し、本実施形態に従うパチンコ機においては、図１７に示すように、第７実施形態における回収球計数器９６とは異なる回収球計数器２１０が使用される。この回収球計数器２１０は、パチンコ球の数をそのまま表す信号を出力する回収球計数器９６とは異なり、パチンコ球の数の半値を表す信号を出力する。
【０１４５】
したがって、本実施形態によれば、回収球計数器２１０の出力信号を当該パチンコ機に適合させるためにその出力信号を変換することが不要となる。
【０１４６】
以上の説明から明らかなように、本実施形態においては、パチンコ球の数をそのまま表す信号を出力する回収球計数器９６に代えて、パチンコ球の数の半値を表す信号を出力する回収球計数器２１０を使用することが前記（１）項における「関係正規化手段」の一例を構成し、また、その回収球計数器２１０が前記（６）項における「信号出力装置」の一例を構成しているのである。
【０１４７】
以上、本発明の実施の形態のいくつかを図面に基づいて詳細に説明したが、これらは例示であり、前記［課題を解決するための手段および発明の効果］の欄に記載の態様を始めとして、当業者の知識に基づいて種々の変形、改良を施した他の形態で本発明を実施することが可能である。
【図面の簡単な説明】
【図１】本発明の第１実施形態に従うパチンコ機を示す正面図である。
【図２】図１のパチンコ機から外部補充装置１０にパチンコ球が回収される経路を示す図である。
【図３】図１のパチンコ機の電気的構成の要部を示すブロック図である。
【図４】本発明の第２実施形態に従うパチンコ機を示す正面図である。
【図５】図４のパチンコ機から外部補充装置１０にパチンコ球が回収される経路を示す図である。
【図６】図４のパチンコ機の電気的構成の要部を示すブロック図である。
【図７】本発明の第３実施形態に従うパチンコ機から外部補充装置１０にパチンコ球が回収される経路を示す図である。
【図８】図７のパチンコ機の電気的構成の要部を示すブロック図である。
【図９】本発明の第４実施形態に従うパチンコ機を示す背面図である。
【図１０】図９のパチンコ機から外部補充装置１０にパチンコ球が回収される経路を示す図である。
【図１１】図９のパチンコ機の電気的構成の要部を示すブロック図である。
【図１２】本発明の第５実施形態に従うパチンコ機を示す正面図である。
【図１３】図１２のパチンコ機から外部補充装置１０にパチンコ球が回収される経路を示す図である。
【図１４】本発明の第６実施形態に従うパチンコ機を示す正面図である。
【図１５】図１４のパチンコ機から外部補充装置１０にパチンコ球が回収される経路を示す図である。
【図１６】本発明の第７実施形態に従うパチンコ機の電気的構成の要部を示すブロック図である。
【図１７】本発明の第８実施形態に従うパチンコ機の電気的構成の要部を示すブロック図である。
【符号の説明】
１０　外部補充装置
１４　ホールコンピュータ
３６　球皿
４０　遊技盤
４２　当たり穴
４４　はずれ穴
５０　球貯留部
６０　発射装置
６６　払出し装置
７４　払出し賞球計数器
８０　第１の排出通路
８２　第２の排出通路
８６　排出賞球計数器
９０　混流回収通路
９６，２１０　回収球計数器
１１０　排出遊技終了球計数器
１１４，１９０　信号変換器
１２０　混流排出通路
１２２　信号出力装置
１２８　排出通路
１３０　回収通路
１３４　バイパス通路
１５０，１７２　循環通路
【図１】
2004105318.tif 000003
【図２】
2004105318.tif 000004
【図３】
2004105318.tif 000005
【図４】
2004105318.tif 000006
【図５】
2004105318.tif 000007
【図６】
2004105318.tif 000008
【図７】
2004105318.tif 000009
【図８】
2004105318.tif 000010
【図９】
2004105318.tif 000011
【図１０】
2004105318.tif 000012
【図１１】
2004105318.tif 000013
【図１２】
2004105318.tif 000014
【図１３】
2004105318.tif 000015
【図１４】
2004105318.tif 000016
【図１５】
2004105318.tif 000017
【図１６】
2004105318.tif 000018
【図１７】
2004105318.tif 000019